(57)【要約】【目的】廃棄含ポリ塩化ビフェニル・ＰＣＢの処理方法【構成】  廃棄含ポリ塩化ビフェニル・ＰＣＢの分解処理液として、天然油、反応促進剤及び水分調整剤を使用する廃棄含ポリ塩化ビフェニル化合物・ＰＣＢの処理方法であり、  廃棄含ポリ塩化ビフェニル・ＰＣＢの分解処理液として植物油、反応促進剤として無機化合物及び水分調整剤として米糠水混練物を使用する廃棄含ポリ塩化ビフェニル・ＰＣＢの処理方法であり、  廃棄含ポリ塩化ビフェニルＰＣＢを分解するに当たり、植物油として椰子油、無機化合物として苛性ソーダ、Ｍｇ化合物及びＣａ化合物を用いる廃棄含ポリ塩化ビフェニル・ＰＣＢ溶液の処理方法であります。【選択図】図３
2008271993.tif 000002
【特許請求の範囲】
【請求項１】
廃棄含ポリ塩化ビフェニル・ＰＣＢの分解処理液として、天然油、反応促進剤及び水分調整剤を使用する事を特徴とする廃棄含ポリ塩化ビフェニル化合物・ＰＣＢの処理方法。
【請求項２】
廃棄含ポリ塩化ビフェニル・ＰＣＢの分解処理液として植物油、反応促進剤として無機化合物及び水分調整剤として米糠水混練物を使用する事を特徴とする請求項１記載の廃棄含ポリ塩化ビフェニル・ＰＣＢの処理方法。
【請求項３】
廃棄含ポリ塩化ビフェニルＰＣＢを分解するに当たり、植物油として椰子油、無機化合物として苛性ソーダ、Ｍｇ化合物及びＣａ化合物を用いる事を特徴とする
請求項１及び請求項２記載の廃棄含ポリ塩化ビフェニル・ＰＣＢ溶液の処理方法。
【発明の詳細な説明】
【技術分野】
【０００１】  廃棄含ポリ塩化ビフェニル・ＰＣＢ化合物の無害化処理方法に関する。
【背景技術】
【０００２】  含ポリ塩化ビフェニル・ＰＣＢ化合物は有毒である。その無害化廃棄処理は業界に課せられている。
【発明が解決しょうとする課題】
ビフェニルＣ１２ＣｌｘＨ１０−ｘの塩素置換体で表される塩素数は（１〜１０）の並び、２１０種類の物質が存在する。
化学薬品による脱塩素技術は数多く有りますが、高額で有り、資源の無駄で有ります。
安い物質としては、特開２０００−１８６２７０号では、「熱帯植物や米ぬかのごとき有用を入れて発酵させた後、オゾンにより分解処理  」と有りますが、米粕での脱塩素技術は無い。
【課題を解決する為の手段】
【０００４】  上記課題を解決する為に、鋭意研究した結果本発明に到達したもので，本発明は、廃棄含ポリ塩化ビフェニル・ＰＣＢ化合物を分解するに当たり、
処理する廃棄含ポリ塩化ビフェニル・ＰＣＢ化合物の第一段階の処理溶液として天然産の椰子油など、廃棄処理にも再利用にも、「地球に優しい」のを大前提に考えています。反応促進処理の脱塩素剤として、無機化合物の苛性ソーダ、炭酸カルシュム、炭酸マグネシュウムを使用する。無機化合物は分子量がちいさくて脱塩素には好適で有りますが、廃棄する時に塩素化合物を廃棄するのは土壌汚染の原因に成る。
水分調整剤として、米糠の水溶液を使用するのは、塩素と反応した無機物質を地球に返すのに好適であると同時に、別発明でセラミックの小さな孔に菌を培養した時に菌の栄養源にもなるからである。
【発明の効果】
【０００５】  有機塩素化合物である廃棄含ポリ塩化ビフェニル・ＰＣＢ化合物の無機塩素化合物を米糠、麦糠等の食料として使用しない表面粉末の澱粉・糖分を利用して無機塩素化合物を無害な有機物として無害化するものであり、本特許は次のような特徴を持っている。
１）処理装置は移動可能である。
２）排出ガスが殆どでない。
３）短時間で分離出来るので無害化が可能である。
４）反応で無機化合物で無機塩素化合物を作り、含ポリ塩化ビフェニル・ＰＣＢの無害化にしたが、それを米糠、麦糠の水練り溶液で被覆した形で有るので処理の安全性は高い。
【発明の実施を最良にする為の形態】
【０００６】  １）含ポリ塩化ビフェニル・ＰＣＢ化合物と分解処理混合液を別々のタンクに入れて、確認してから反応処理槽に投入する。
２）反応が急激に進行しないように空気式攪拌で反応速度を調節している。
３）異常な化学反応が起こらないように、反応処理槽に入れる寸前に、再度、含ポリ塩化ビフェニル・ＰＣＢ化合物の濃度と量及び処理溶液量を確認徹底する。
４）含ポリ塩化ビフェニル・ＰＣＢ化合物を扱った器は処理溶液を入れて内部洗浄をおこなう事で念には念を入れて管理している。
【０００７】  図１は本発明の最も簡単な概略図である。
反応処理槽１にまず処理液３をポンプで入れる。次に廃棄含ポリ塩化ビフェニル・ＰＣＢ化合物２をポンプで入れる。空気式攪拌で反応させる。３０分、３０度〜４０度ｃ。それからポンプＰで分離槽８へ移送する。攪拌処理後液１０と処理後オイル１１に分離する。
【０００８】  図２は、廃棄含ポリ塩化ビフェニル・ＰＣＢ化合物２と処理液３とを反応させた概略説明図である。処理液３の有機化合物は廃棄含ポリ塩化ビフェニル・ＰＣＢ化合物２の遊離しやすい塩素原子と結合して、塩酸又は無機塩素水素化合物５ａと成って無害化される。
【０００９】  図３は廃棄含ポリ塩化ビフェニル・ＰＣＢ化合物２の処理工程の概略図である。
１）廃棄含ポリ塩化ビフェニル・ＰＣＢ化合物２と処理液３を反応槽１へポンプＰにより移送する。処理液は椰子油など天然油を使用する。空気攪拌して６０分程攪拌して、８０度〜１００度で反応させる。それを反応促進槽１３にポンプＰで送る。
２）反応促進剤９ａ，９ｂ，９ｃ（苛性ソーダ、炭酸カルシウム、マグネシウム化合物など）をポンプＰで反応促進槽１３に移す。ここで、廃棄含ポリ塩化ビフェニル・ＰＣＢ化合物２の有機塩素は、塩化ナトリウム、塩化カルシウム、塩化マグネシウムのような無機塩素に変換される。
３）上記２）の廃棄含ポリ塩化ビフェニル・ＰＣＢ化合物２の混合物を反応促進槽１３からポンプ７にて水分調整槽１４に移送する。
４）米糠は当量の水と混練りして、水分調整剤槽１５に保管しておく。
５）反応促進槽１３からポンプ移送されてきた混合液と水分調整剤を攪拌処理後、最終処理槽１８にポンプＰにて移送する。
６）廃棄含ポリ塩化ビフェニル・ＰＣＢ化合物の塩素が残留している場合は、油分２ａのみを反応処理槽１に移送して、１）、２）、３）、４）、５）の工程を繰り返す。
７）油分２ａと水１６に分離する。炭酸ガス１７は空気中に逸散する。
８）油分２ａで再利用可能なものは再利用する。再利用出来ないものは産廃業者に引き渡す。
９）水はｐＨ測定にて中和して放流又は産廃業者に引き渡す。
【００１０】    水分調整剤を製造する米糠と水の割合は、米糠１００部にたいして水を１００部前後が望ましく水が多すぎると効果は無くなる。
【図面の簡単な説明】
【００１１】
【図１】図１は本発明の工程の概要を示す概略図。
【図２】図２は本発明の化学処理方法を示す概略図。
【図３】図３は本発明の廃棄含ポリ塩化ビフェニルＰＣＢ化合物の処理工程で本発明の反応促進剤並びに反応調整剤（米糠）を利用した概略工程図。
【符号の説明】
【００１２】１      反応処理槽
２      廃棄含ポリ塩化ビフェニル化合物・ＰＣＢ油
２ａ    廃棄含ポリ塩化ビフェニル・ＰＣＢ化合物油分
３      処理液
４      攪拌装置
４ａ    空気式攪拌装置
５      有機塩素
５ａ    無機  塩素
８      分離槽
９      反応促進剤
９ａ    反応促進剤ａ槽
９ｂ    反応促進剤ｂ槽
９ｃ    反応促進剤ｃ槽
１０    攪拌処理後液
１１    処理後オイル
１２    処理後液
１３    反応促進槽
１４    水分調整槽
１５    水分調整剤槽
１６    水
１７    炭酸ガス
１８    最終処理槽
Ｐ      ポンプ
【図１】
2008271993.tif 000003
【図２】
2008271993.tif 000004
【図３】
2008271993.tif 000005